(57)【要約】【課題】医療用架台において、載置する各種機器の形状寸法に応じて棚板の間隔を最小作業で確実に取付変更可能な医療用架台が求められている。【解決手段】各種医療機器を載置し、支柱１２への取付固定位置が変更可能な棚板１５，１６と、前記支柱１２に所定間隔に植設された複数の位置決めピン３４と、棚板の後端面に位置決めピン３４に嵌合される位置決めピン挿通孔３９を設け、棚板の後端面を位置決めピンで仮保持させ、前端面は作業者が保持しつつ、棚板を固定ネジ３５，３６で支柱に取付固定する医療用架台装置。【選択図】      図３
2004223154.tif 000002
【特許請求の範囲】
【請求項１】
各種医療機器を載置する複数の棚板と、この棚板を取付固定する支柱からなる医療用架台において、
前記支柱に棚板を取付固定する際に、前記棚板を仮保持させる仮保持手段と、
前記仮保持手段で仮保持させて、前記棚板を前記支柱に取付固定する固定手段と、
を具備することを特徴とした医療用架台装置。
【請求項２】
前記仮保持手段は、前記棚板の後端面側を仮固定する前記棚板、又は前記支柱のいずれかに設けられた位置決めピンと、その位置決めピンが挿通される位置決めピン挿通孔からなり、前記固定手段は、前記棚板の後端面側と両側面側の３面を支柱に固定する固定ネジからなることを特徴とした請求項１記載の医療用架台装置。
【請求項３】
前記仮保持手段は、前記棚板の後端面側を仮固定する前記棚板、又は前記支柱のいずれかに設けられた位置決めピンと、その位置決めピンに嵌合される位置決めピン挿通孔からなり、前記固定手段は、前記棚板の両側面側に位置する支柱から突出された支持ピンと、前記棚板の両側面に設けられ、且つ、前記支柱から突出された支持ピンに嵌合載置される凹部からなることを特徴とした請求項１記載の医療用架台装置。
【発明の詳細な説明】
【０００１】
【発明の属する技術分野】
本発明は、各種医療器具を保持すると共に、その医療器具を駆動制御する駆動制御機器、光源機器、診断治療情報を表示するモニター機器、診断治療情報を記録する記録機器、及び補助治療機器等の各種医療機器を載置する複数の棚を有する医療用架台装置に関する。
【０００２】
【従来の技術】
近年、医療分野で体腔内患部の診断や治療に内視鏡装置が用いられている。この内視鏡装置には、例えば、体腔内に挿入される挿入部先端に固体撮像素子を内蔵させた内視鏡と、この固体撮像素子を駆動制御すると共に、撮像生成された撮像信号に所定の信号処理を行いテレビ映像信号を生成する内視鏡駆動制御機器であるビデオプロセッサ、前記内視鏡挿入部先端から観察部位に投射させる照明光を生成して内視鏡に供給する光源機器、前記ビデオプロセッサで生成されたテレビ映像信号を基に撮像映像を表示するモニター、前記ビデオプロセッサで生成されたテレビ映像信号を記録する記録機器、及び内視鏡装置に設けられた処置具チャンネルを介して患部の処置を行う処置具を駆動制御する処置具制御機器等から構成される電子内視鏡装置が多用されるようになっている。
【０００３】
この電子内視鏡装置は、内視鏡を保持する内視鏡用ハンガーや、前記ビデオプロセッサ、光源機器、モニター、及び処置具制御機器等を載置する複数段の棚板と、診断治療する被検体である患者の氏名、年齢、性別、及び診断実施年月日等の被検体情報（以下、患者情報と称する）や前記ビデオプロセッサなどの各種機器の設定情報等を入力するための入力用キーボードとを有する架台に収納配置されている。
【０００４】
このように電子内視鏡装置を収納配置されている架台には、内視鏡操作者が立位操作、又は座位操作に応じて、前記患者情報入力用キーボードが操作しやすく、診断治療部位の撮像画像を表示するモニターの表示画面の見やすい位置に上下移動可能な医療用架台装置が提案されている（例えば、特許文献１乃至３参照）。
【０００５】
【特許文献１】
実開平４−１０８５０１号公報。
【０００６】
【特許文献２】
実用新案登録番号第２５５１３９８号公報。
【０００７】
【特許文献３】
特開平６−１２５９００号公報。
【０００８】
【発明が解決しようとする課題】
従来の電子内視鏡装置を載置する架台は、患者情報や各種機器の設定情報等を入力するための入力用キーボードと、診断治療部位の撮像画像を表示するモニターの位置を術者が操作しやすく、且つ、モニター画面の見やすい位置に上下移動させるようになっている。
【０００９】
しかしながら、前記架台には、前述したように、内視鏡、入力キーボード、及びモニター以外に、ビデオプロセッサ、光源機器、記録機器、及び処置具制御機器等も載置させる必要がある。
【００１０】
このビデオプロセッサ、光源機器、記録機器、及び処置具制御機器等の各種機器は、内視鏡の種別に応じて各種機器それぞれの機能や能力が異なり、且つ、外観形状寸法も異なる。
【００１１】
このように外観形状の異なる各種機器を載置するために、前記架台の棚板は、取り外し可能で、載置させる機器の形状寸法に応じて、棚板の間隔を可変できるようになっている。
【００１２】
この棚板の間隔変更には、一般的には、図５に示すように、架台を構成する略Ｌ字状の一対の支柱５１（図中には、一方の支柱のみ表示している）は、側縁側支柱壁５２と後縁側支柱壁５３からなり、前記側縁側支柱壁５２の内面側には、ネジ穴５６ａ，５６ｂ，…を等間隔で長手方向に設けられたネジ板５４が溶接固定されており、前記後縁側支柱壁５３の内面側には、ネジ穴５７ａ，５７ｂ，…を等間隔で長手方向に設けられたネジ板５５が溶接固定されている。
【００１３】
一方、図中点線で示す棚板５９の側縁部と後縁部を折り曲げ形成した側縁折り曲げ面５９ａと、後縁折り曲げ面５９ｂが形成されている。なお、この側縁折り曲げ面５９ａと、後縁折り曲げ面５９ｂは、棚板５９の各種機器の載置面と反対側に折り曲げ形成されている。
【００１４】
この側縁折り曲げ面５９ａと後縁折り曲げ面５９ｂには、前記ネジ穴５６ａ，５６ｂ，…，５７ａ，５７ｂ，…と位置するネジ貫通孔５９ｃ，５９ｄがそれぞれ形成されている。
【００１５】
つまり、前記棚板５９は、前記後縁折り曲げ面５９ｂに設けられたネジ貫通孔５９ｄを介して後縁側支柱５３のネジ板５５のネジ穴５７ａ，５７ｂ，…のいずれかに、ネジ５８を螺合させて取付固定させ、前記棚板５９の側縁折り曲げ面５９ａに設けられたネジ貫通孔５９ｃを介して、前記ネジ板５５のネジ孔と同じ高さの側縁側支柱５２のネジ板５４の所定のネジ穴５６ａ，５６ｂ，…にネジ５８を螺合させて取付固定している。
【００１６】
このように支柱に設けられた等間隔のネジ穴に棚板をネジ止め固定する際に、棚板の前縁部を保持して棚板の後縁折り曲げ面５９ｂに設けられたネジ貫通孔５９ｄと後縁側支柱５３に設けられているネジ穴５７ａ，５７ｂ，…とを合わせながら、ネジ５８を螺合させて、棚板５９を取付固定するようになっている。
【００１７】
このように後縁側支柱５３に棚板５９をネジ５８で螺合固定する際に、仮に一人の作業者が行う場合には、一方の片手で棚板５９の前縁部を保持しながら後縁折り曲げ面５９ｂに設けられているネジ貫通孔５９ｄを後縁側支柱５３のネジ穴５７ａ，５７ｂ，…に合わせ、他方の片手でネジ５８を螺合させることになる。
このように一人で作業する場合、棚板の後縁部側が重く垂れ下がり、ネジ穴同士を合わせることが困難となるばかりか、ネジ穴を合わせながら他方の片手でネジを螺合させて締め付け固定する作業が困難となり、作業に複数の人員、又は多数の作業時間を要していた。
【００１８】
本発明は、上記事情に鑑みなされたもので、医療用の各種機器を載置する医療用架台において、載置する各種機器の形状寸法に応じて棚板の間隔を可変可能で、且つ、作業人数の最小化と、短時間で確実に棚板の取付固定が可能な医療用架台装置を提供することを目的としている。
【００１９】
【課題を解決するための手段】
本発明の医療用架台装置は、各種医療機器を載置する複数の棚板と、この棚板を取付固定する支柱からなる医療用架台において、前記支柱に棚板を取付固定する際に、前記棚板を仮保持させる仮保持手段と、前記仮保持手段で仮保持させて、前記棚板を前記支柱に取付固定する固定手段と、を具備することを特徴としている。
【００２０】
本発明の医療用架台装置の前記仮保持手段は、前記棚板の後端面側を仮固定する前記棚板、又は前記支柱のいずれかに設けられたピンと、そのピンに嵌合される嵌合孔からなり、前記固定手段は、前記棚板の後端面側と両側面側の３面を支柱に固定するネジからなることを特徴としている。
【００２１】
また、本発明の医療用架台装置の前記仮保持手段は、前記棚板の後端面側を仮固定する前記棚板、又は前記支柱のいずれかに設けられたピンと、そのピンに嵌合される嵌合孔からなり、前記固定手段は、前記棚板の両側面側に位置する支柱から突出されたピンと、前記棚板の両側面に設けられ、且つ、前記支柱から突出されたピンに嵌合載置される凹部からなることを特徴としている。
【００２２】
本発明の医療用架台装置は、載置される各種機器の形状寸法に応じて、最小の作業員で、確実、且つ迅速に棚板の取付固定位置の変更が可能となった。
【００２３】
【発明の実施の形態】
以下、図面を参照して本発明の実施の形態について詳細に説明する。図１は本発明に係る医療用架台装置の一実施形態の全体構成を示す斜視図、図２は本発明に係る医療用架台装置の支柱の形状を示す斜視図、図３は本発明に係る医療用架台装置の一実施形態の棚板取付固定を説明する斜視図である。
【００２４】
最初に、図１を用いて本発明に係る医療用架台装置の全体構成を説明する。架台１１は、断面形状が略Ｌ状の２本の支柱１２ａ，１２ｂの上端に上面棚板１３、下端に底面棚板１４とがそれぞれ取付固定されている。上面棚板１３と底面棚板１４の後面側の２辺が前記支柱１２ａ，１２ｂのＬ字部分でそれぞれ取付固定されている。つまり、上面棚板１３と底面棚板１４の前面側は、前面と、側面の略２／３位の部分は何ら支柱もなく物品の収納載置が可能となっている。
【００２５】
なお、底面棚板の下面の４つの角には、キャスター２４ａ〜２４ｄが設けられて、架台１１が移動可能となっている。
【００２６】
また、前記上面棚板１３の前面の２つの角には、把手２２ａ，２２ｂが設けられている。つまり、この把手２２ａ，２２ｂを把持し、キャスター２４ａ〜２４ｄにより架台１１が移動可能となっている。
【００２７】
さらに、前記支柱１２ａ，１２ｂの上端の略Ｌ字形状の角部分には、モニター支柱１８と、内視鏡ハンガー支柱２１が装着できる円筒部が一体的に形成されている。
【００２８】
前記モニター支柱１８には、モニター台１９が設けられており、このモニター台１９にモニター２０が載置されるようになっている。
【００２９】
また、前記内視鏡ハンガー支柱２１には、内視鏡ハンガー２５が設けられており、この内視鏡ハンガー２５に図示していない内視鏡が保持されるようになっている。
【００３０】
さらに、前記上面棚板１３の一方の側面には、前記内視鏡ハンガー２５に保持された内視鏡のケーブルコネクタが装着保持されるコネクタホルダー２３ａ，２３ｂが設けられている。
【００３１】
前記上面棚板１３と底面棚板１４との間には、第１中間棚板１５と第２中間棚板１６とがそれぞれ前記支柱１２ａ，１２ｂに取付固定されている。
【００３２】
前記上面棚板１３には、内視鏡診断時に用いる各種医薬品やガーゼ等の診断補助部材が載置される。
【００３３】
前記第１中間棚板１５には、図示していない内視鏡に設けられているライトガイドファイバーに照明光を生成供給する光源機器６１と、内視鏡に内蔵されている固体撮像素子を駆動制御すると共に、固体撮像素子で撮像生成された撮像信号を取り込み所定の信号処理を行って前記モニター２０に表示するテレビ映像信号を生成処理するビデオプロセッサ６２が載置される。
【００３４】
前記第２中間棚板１６には、前記内視鏡に設けられている処置具挿通チャンネルに挿通させた各種処置具により体腔内患部の検体採取や治療の際に、その処置具を駆動制御させる処置具駆動制御機器６３が載置される。
【００３５】
また、前記底面棚板１４には、前記第１中間棚板１５に載置されているビデオプロセッサ６２で生成されたテレビ映像信号を記録するビデオカセットレコーダなどの記録機器６４が載置されている。
【００３６】
前記第１中間棚板１５の上方で、前記上面棚板１３の下面側近傍には、入力端末トレー１７が配置されている。この入力端末トレー１７には、内視鏡診断治療を行う患者情報や各種機器の設定情報等を入力するためのキーボード、又はタッチパネル等が載置されるようになっている。
【００３７】
この入力端末トレー１７は、前記上面棚板１３の載置領域の下面側に収納可能で、且つ、必要に応じて、前記上面棚板１３の載置領域の外周の任意の位置に引き出し可能となっている。
【００３８】
前記第１中間棚板１５と第２中間棚板１６は、載置される機器の形状寸法に応じて支柱１２ａ，１２ｂの任意の位置に取付固定変更が可能となっている。
【００３９】
この第１中間棚板１５と第２中間棚板１６の取付位置変更可能な支柱１２ａ，１２ｂの形状構成について図２を用いて説明する。なお、図２は支柱１２ｂを示しているが、支柱１２ａは、支柱１２ｂと対称であるために省略している。
【００４０】
この支柱１２ｂは、断面形状が略Ｌ字状に形成された側縁部２６と後縁部２７、前記Ｌ字状の角部から外方向に設けられ前記モニター支柱１８が嵌合装着されるモニター支柱円筒１８ａと前記内視鏡ハンガー支柱２１が嵌合装着されるハンガー支柱円筒２１ａ、前記側縁部２６と前記後縁部２７を機械的強度を確保するために設けられ前記モニター支柱円筒１８ａと連設された異なる形状の空洞部２６ａ，２６ｂ，２７ａ、及び前記Ｌ字形状の支柱１２ｂの前記側縁部２６と後縁部２７の内側それぞれに設けられたネジ板装着溝２８，２９からなる長尺な形状に一体形成されている。
【００４１】
この支柱１２ｂは、前記空洞部２６ａ，２６ｂ，２７ａを設けることで側縁部２６と後縁部２７の機械的強度が確保されると共に、支柱１２ｂの全体の素材量の低減と軽量化を図ることが可能となる。また、この空洞部２６ａ，２６ｂ，２７ａは、前記棚板１３〜１６に載置される各種機器の接続ケーブルやコード類を挿通させるようにすることで、前記接続ケーブルやコード類の整理整頓ができる。
【００４２】
このような構成の支柱１２ａ，１２ｂに、第１と第２中間棚板１５，１６を取付固定する方法について図３を併用して説明する。
【００４３】
前記側縁部２６に設けられたネジ板装着溝２８には、所定間隔でネジ穴３１ａ，３１ｂ，３１ｃ，…を設けた長尺矩形状の側縁ネジ板３０が装着されるようになっている。
【００４４】
また、前記後縁部２７に設けられたネジ板装着溝２９には、所定間隔でネジ穴３３ａ，３３ｂ，３３ｃ，…と位置決めピン３４ａ，３４ｂ，３４ｃ，…を設けた長尺矩形状の後縁ネジ板３２が装着されるようになっている。
【００４５】
前記側縁ネジ板３０のネジ穴３１ａ，３１ｂ，３１ｃ，…と、後縁ネジ板３２のネジ穴３３ａ，３３ｂ，３３ｃ，…とは、同じ高さ位置と間隔で設けられ、後述する第１中間棚板１５と第２中間棚板１６を所定間隔でネジ３５、３６で取付固定するようになっている。
【００４６】
前記後縁ネジ板３２の位置決めピン３４ａ，３４ｂ，３４ｃ，…は、前記ネジ穴３３ａ，３３ｂ，３３ｃ，…の図中下側に植設され、後述する第１中間棚板１５と第２中間棚板１６に設けられた位置決めピン挿通孔３９に挿通されるようになっている。
【００４７】
次に、図中点線で示す、第１中間棚板１５は、全体形状が略長方形の平板の前端、両側端、及び後端を図中下面側に約９０度折れ曲げられて前端面、右側端面１５ａ、後端面１５ｂ、左側端面、及び上面１５ｃが形成されている。なお、図中、前端面と左側端面は省略している。
【００４８】
前記右側端面１５ａには、前記支柱１２ｂの側縁部２６に設けられた側縁ネジ板３０のネジ穴３１ａ，３１ｂ，３１ｃ，…と連通する連通孔３７が設けられており、前記後端面１５ｂには、前記支柱１２ｂの後縁部２７に設けられた後縁ネジ板３２のネジ穴３３ａ，３３ｂ，３３ｃ，…と連通する連通孔３８と、位置決めピン３４ａ，３４ｂ，３４ｃ，…を挿通する位置決めピン挿通孔３９が設けられている。
【００４９】
なお、右側端面１５ａと対向する図示していない左側端面と、図示していない前記後端面１５ｂの左側端面側にも同様な連通孔３７，３８，及び位置決めピン挿通孔３９が設けられている。
【００５０】
また、前記位置決めピン挿通孔３９は、第１中間棚板１５の上面１５ｃと略平行方向に横長の孔形状に形成され、且つ、前記連通孔３８と位置決めピン挿通孔３９の間隔は、前記支柱１２ａに設けられているネジ穴３３ａ，３３ｂ，３３ｃ，…と、位置決めピン３４ａ，３４ｂ，３４ｃ，…との間隔と同じである。
【００５１】
なお、第２中間棚板１６は、前述した第１中間棚板１５と同一形状構成となっている。
【００５２】
このような支柱１２ａ，１２ｂを有する架台１１に、第１中間棚板１５と第２中間棚板１６の上面１５ｃに載置される各種機器の形状寸法、特に高さ寸法に応じて、前記第１と第２中間棚板１５，１６の前記支柱１２ａ，１２ｂの側縁ネジ板３０に設けられているネジ穴３１ａ，３１ｂ，３１ｃ，…と後縁ネジ板３２に設けられたネジ穴３３ａ，３３ｂ，３３ｃ，…への取付固定変更作業手順ついて説明する。なお、前記第１と第２中間棚板１５，１６の取付固定作業は全く同一であるために、第１中間棚板１５を例に説明する。
【００５３】
第１中間棚板１５の図示していない前端面側を作業者が把持して、後端面１５ｂに設けられている位置決めピン挿通孔３９を所望の位置決めピン３４ａ，３４ｂ，３４ｃ，…、例えば、位置決めピン３４ｃに挿通させる。
【００５４】
この位置決めピン３４ｃに位置決めピン挿通孔３９を挿通させると、第１中間棚板１５の後端面１５ｂに設けられている連通孔３８は、支柱１２ａ，１２ｂの後縁ネジ板３２のネジ穴３３ｃと一致させることができる。
【００５５】
この状態で、作業者は、固定ネジ３６を第１中間棚板１５の連通孔３８を介して、後縁ネジ板３２のネジ穴３３ｃに螺合させて、第１中間棚板１５の後端面１５ｂを支柱１２ｂの後縁ネジ板３２に固定締結させ、且つ、固定ネジ３５を第１中間棚板１５の側端面１５ａの連通孔３７を介して、側縁ネジ板３０のネジ穴３１ｃに螺合させて、第１中間棚板１５の側端面１５ａを支柱１２ｂの側縁ネジ板３０に固定締結させる。なお、図示していない支柱１２ａ側も同様に固定締結させる。
【００５６】
つまり、作業者は、支柱１２の位置決めピン３４に第１中間棚板１５の後端面１５ｂの位置決めピン挿通孔３９を挿通させて、第１中間棚板１５の前端面を一方の片手で保持させながら、他方の片手で固定ネジ３６を連通孔３８から支柱１２のネジ穴３３に螺合締め付け、且つ、固定ネジ３５を第１棚板１５の側端面１５ａの連通孔３７から支柱１２のネジ板３０のネジ穴３１に螺合締め付けることで、第１中間棚位置１５が支柱１２の所望の位置に取付固定可能となる。
【００５７】
これにより、一人の作業員で、架台に載置する各種機器の形状に応じて、中間棚板の位置の変更取付固定が可能となる。
【００５８】
なお、前述では、前記位置決めピン３４は、支柱１２の後縁ネジ板３２に植設された例を用いて説明したが、前記後縁ネジ板３２の位置決めピン３４に変えて、位置決めピン挿入孔を設け、第１と第２中間棚板１５，１６の後端面１５ｂの位置決めピン挿通孔３９に変えて、位置決めピンを植設されても同様な作業が可能となる。
【００５９】
次に、図４を用いて本発明に係る医療用架台装置の他の実施形態を説明する。なお、図１乃至図３と同じ部分は、同一部号を付して詳細説明を省略する。
【００６０】
前記支柱１２の側縁部２６に設けられた側縁ネジ板３４に変えて、所定間隔で支持ピン４２ａ，４２ｂ，４２ｃ，…が植設された側縁支持ピン板４１が設けられ、前記後縁部２７に設けられた後縁ネジ板３２に変えて、所定間隔で支持ピン４４ａ，４４ｂ，４４ｃ，…が植設された後縁支持ピン板４３が設けられている。
【００６１】
一方、第１中間棚板１５の後端面１５ｂには、前記支柱１２の後縁部２７に設けられた後縁支持ピン板４３の支持ピン４４ａ，４４ｂ，４４ｃ，…に挿通される支持ピン挿通孔４６と、側端面１５ａには、前記支柱１２の側縁部２６に設けられた側縁支持ピン板４１の支持ピン４２ａ，４２ｂ，４２ｃ，…に嵌合載置される凹状に形成された支持ピン凹部４５とが形成されている。
【００６２】
つまり、第１中間棚板１５の前端面を保持しながら後端面１５ｂに設けられている支持ピン挿通孔４６に、支柱１２の後縁部２７に設けられている後縁支持ピン板４３の所望の支持ピン４４ａ，４４ｂ，４４ｃ，…を挿通させた後、第１中間棚板１５の上面１５ｃが水平状態となるように、側縁面１５ａに設けられている支持ピン凹部４５を前記支柱１２の側縁部２６に設けられている側縁支持ピン板４１の支持ピン４２ａ，４２ｂ，４２ｃ，…に嵌合載置させる。
【００６３】
これにより、第１中間棚板１５は支柱１２に取付固定され、仮に第１中間棚板１５の前端側に図中上下方向に加重が加わった場合、後端面１５ｂに設けられた支持ピン挿通孔４６と支持ピン４４ａ，４４ｂ，４４ｃ，…により固定維持され、さらに、第２中間棚板１５に前後方向への加重が加わった場合、側端面１５ａに設けられた支持ピン凹部４５と支持ピン４２ａ，４２ｂ，４２ｃ，…により固定維持される。
【００６４】
この結果、中間棚板１５，１６に載置する各種機器の高さ形状に応じて、支柱１２への取付固定位置が自由に変更でき、その位置変更も簡素な作業で最小の作業員で実施することができる。
【００６５】
なお、前記中間棚板１５，１６の後端面１５ｂの支持ピン挿通孔４６に変えて、側端面１５ａに設けた支持ピン凹部４５と同じ形状の凹部として、且つ、支柱１２の後縁部２７に設けた後縁支持ピン板４３に植設された支持ピン４４ａ，４４ｂ，４４ｃ，…の植設間隔を前記後端面１５ｂの高さ寸法と略同一としても良い。  つまり、後縁支持ピン板４３の支持ピン４４ａ，４４ｂ，４４ｃ，…の植設間隔を中間棚板１５の後端面１５ｂの支持ピン挿通孔４６に変えて設ける支持ピン凹部と上面１５ｃとが嵌り合う関係とすることで、中間棚板１５の後端面１５ｂの図中上下方向の固定を実現することもできる。
【００６６】
これにより、例えば、中間棚板１５の下面を支柱１２の側縁部２６の側縁支持ピン板４１の支持ピン４２ｃに載置させて滑り押し込むことにより、後端面１５ｂの支持ピン凹部と上面１５ｃとの間に後縁支持ピン板４３の支持ピン４４ｂ，４４ｃで挟み込むことで、中間棚板１５の支柱１２への取付固定ができ、最も簡素で確実な中間棚板取付固定が実現できる。
【００６７】
［付記］
以上詳述した本発明の実施形態によれば、以下のごとき構成を得ることができる。
【００６８】
（付記１）  各種医療機器を載置する複数の棚板と、この棚板を取付固定する支柱からなる医療用架台において、
前記支柱に棚板を取付固定する際に、前記棚板を仮保持させる仮保持手段と、
前記仮保持手段で仮保持させて、前記棚板を前記支柱に取付固定する固定手段と、
を具備することを特徴とした医療用架台装置。
【００６９】
（付記２）  前記仮保持手段は、前記棚板の後端面側を仮固定する前記棚板、又は前記支柱のいずれかに設けられた位置決めピンと、その位置決めピンが挿通される位置決めピン挿通孔からなり、前記固定手段は、前記棚板の後端面側と両側面側の３面を支柱に固定する固定ネジからなることを特徴とした付記１記載の医療用架台装置。
【００７０】
（付記３）  前記仮保持手段は、前記棚板の後端面側を仮固定する前記棚板、又は前記支柱のいずれかに設けられた位置決めピンと、その位置決めピンに嵌合される位置決めピン挿通孔からなり、前記固定手段は、前記棚板の両側面側に位置する支柱から突出された支持ピンと、前記棚板の両側面に設けられ、且つ、前記支柱から突出された支持ピンに嵌合載置される凹部からなることを特徴とした付記１記載の医療用架台装置。
【００７１】
（付記４）  前記仮保持手段は、前記棚板の後端面側を挟持する前記支柱に設けられた位置決めピンからなり、前記固定手段は、前記棚板の両側面側に位置する支柱から突出された支持ピンと、前記棚板の両側面に設けられ、且つ、前記支柱から突出された支持ピンに嵌合載置される凹部からなることを特徴とした付記１記載の医療用架台装置。
【００７２】
【発明の効果】
本発明の医療用架台装置は、医療診断治療行為に必要な各種医療機器の形状や大きさに応じて、それら医療機器を載置する中間棚の取付位置を簡易な作業で確実に変更取り付けでき、医療機器の設置組み立ての効率が向上する効果を有している。
【図面の簡単な説明】
【図１】本発明に係る医療用架台装置の一実施形態の全体構成を示す斜視図。
【図２】本発明に係る医療用架台装置の一実施形態の支柱の構成を示す斜視図。
【図３】本発明に係る医療用架台装置の一実施形態の中間棚板の取付固定構成を示す斜視図。
【図４】本発明に係る医療用架台装置の他の実施形態の中間棚板の取付固定構成を示す斜視図。
【図５】従来の医療用架台装置の中間棚板の取付固定構成を示す斜視図。
【符号の説明】
１１…架台
１２…支柱
１３…上面棚板
１４…底面棚板
１５、１６…中間棚板
２６…側縁部
２７…後縁部
３０…側縁ネジ板
３１…ネジ穴
３２…後縁ネジ板
３３…ネジ穴
３４…位置決めピン
３７，３８…挿通孔
３５，３６…固定ネジ
【図１】
2004223154.tif 000003
【図２】
2004223154.tif 000004
【図３】
2004223154.tif 000005
【図４】
2004223154.tif 000006
【図５】
2004223154.tif 000007